(57)【要約】【課題】本発明が解決しようとする課題は、表示された帳票画面上の文字が見え易い情報処理装置を提供することである。【解決手段】実施形態の情報処理装置は、表示部と、前記表示部に帳票全体を示す帳票画面を表示する帳票表示手段と、前記帳票表示手段が表示した帳票画面上の帳票情報の入力位置を指定する入力位置指定手段と、前記入力位置指定手段によって指定された前記入力位置を含む前記帳票画面内のエリアを拡大した拡大帳票画面を前記表示部に表示する拡大表示手段と、前記入力位置に前記帳票情報を入力する入力手段と、を備える。【選択図】図５
2017191404.tif 000002
【特許請求の範囲】
【請求項１】
表示部と、
前記表示部に帳票全体を示す帳票画面を表示する帳票表示手段と、
前記帳票表示手段が表示した帳票画面上の帳票情報の入力位置を指定する入力位置指定手段と、
前記入力位置指定手段によって指定された前記入力位置を含む前記帳票画面内のエリアを拡大した拡大帳票画面を前記表示部に表示する拡大表示手段と、
前記入力位置に前記帳票情報を入力する入力手段と、
を備えた情報処理装置。
【請求項２】
帳票情報を入力する複数の項目の入力順を記憶する記憶部と、
前記入力手段による帳票情報の入力を確定する締めキーと、をさらに備え、
前記入力位置指定手段は、前記締めキーが操作されたことを条件に、前記記憶部に記憶された入力順に従った次の項目の前記入力位置を指定する、
請求項１に記載の情報処理装置。
【請求項３】
前記拡大表示手段は、前記拡大帳票画面を表示中に前記締めキーが操作されたことを条件に、前記記憶部に記憶された入力順に従った次の項目の前記指定された前記入力位置を含む前記エリアを拡大して表示する、
請求項２に記載の情報処理装置。
【請求項４】
前記記憶部は、前記複数の項目に対応してそれぞれ前記拡大帳票画面の倍率を記憶し、
前記拡大表示手段は、前記記憶部に記憶された倍率で拡大した前記拡大帳票画面を表示する、
請求項２または３に記載の情報処理装置。
【請求項５】
前記拡大表示手段は、前記帳票画面と前記拡大帳票画面とを同一画面に表示するとともに、表示された前記帳票画面において、前記入力手段によって帳票情報が入力された項目を帳票情報が未入力の項目と区別可能に表示する、
請求項１乃至４のいずれか一に記載の情報処理装置。
【請求項６】
前記入力手段によって入力された前記帳票情報を表す文字の輪郭をスムージング処理して表示するスムージング手段、をさらに備えた、
請求項１乃至４のいずれか一に記載の情報処理装置。
【発明の詳細な説明】
【技術分野】
【０００１】
本発明の実施形態は、情報処理装置に関する。
【背景技術】
【０００２】
従来から、伝票や請求書等の帳票に帳票情報を入力する機能および入力した帳票の印字発行機能を有する、事務コンピュータと呼ばれる情報処理装置が普及している。このような情報処理装置は、記憶部に記憶されている帳票フォーマットを示す帳票画面を表示部に表示させ、この帳票画面に各種情報を入力することで、帳票情報を作成する。そして情報処理装置は、帳票画面上で作成した帳票情報をプリンタを用いて印字して帳票を作成する。
【０００３】
しかしながら、従来の情報処理装置は、帳票画面に帳票全体を表示しているため、帳票画面に表示される文字が小さい。そのため、例えば高齢者が事務コンピュータを操作する場合は、帳票画面上の文字が見え難かった。
【発明の概要】
【発明が解決しようとする課題】
【０００４】
本発明が解決しようとする課題は、表示された帳票画面上の文字が見え易い情報処理装置を提供することである。
【課題を解決するための手段】
【０００５】
実施形態の情報処理装置は、表示部と、前記表示部に帳票全体を示す帳票画面を表示する帳票表示手段と、前記帳票表示手段が表示した帳票画面上の帳票情報の入力位置を指定する入力位置指定手段と、前記入力位置指定手段によって指定された前記入力位置を含む前記帳票画面内のエリアを拡大した拡大帳票画面を前記表示部に表示する拡大表示手段と、前記入力位置に前記帳票情報を入力する入力手段と、を備える。
【図面の簡単な説明】
【０００６】
【図１】図１は、実施形態に係る事務コンピュータを示す斜視図である。
【図２】図２は、事務コンピュータのハードウェア構成を示すブロック図である。
【図３】図３は、入力順記憶部の構成を示すメモリマップである。
【図４】図４は、事務コンピュータの機能構成を示す機能ブロック図である。
【図５】図５は、事務コンピュータの制御処理の流れを示すフローチャートである。
【図６】図６は、事務コンピュータの制御処理の流れを示すフローチャートである。
【図７】図７は、事務コンピュータの表示部に表示された帳票画面を示す図である。
【図８】図８は、事務コンピュータの表示部に表示された拡大帳票画面を示す図である。
【図９】図９は、事務コンピュータの表示部に表示された他の拡大帳票画面を示す図である。
【図１０】図１０は、事務コンピュータの表示部に表示された他の拡大帳票画面を示す図である。
【発明を実施するための形態】
【０００７】
以下、図面を参照して、実施形態について詳細に説明する。実施形態は、帳票の入力機能および入力した帳票の印字発行機能を有する事務コンピュータを情報処理装置として適用したものである。なお、以下に説明する実施形態によりこの発明が限定されるものではない。
【０００８】
図１は、実施形態にかかる事務コンピュータ１を示す斜視図である。図１に示すように、事務コンピュータ１は、各部を収納するハウジング２を備えている。ハウジング２は、側方から見てほぼ台形状に形成されている。
【０００９】
ハウジング２の前面下部には、操作部２２が設けられている。操作部２２は、テンキー、文字キー、ファンクションキー等が配列されたキーボードである。操作部２２は、ハウジング２と独立して構成されており、ハウジング２に対して自由に動かすことができる。なお、操作部２２は、ハウジング２と固定的または一体的に構成されていてもよい。ハウジング２の前面には、操作部２２よりも上方の位置に表示部２１が設けられている。表示部２１は、例えば液晶表示器である。表示部２１上には、タッチパネル２７が設けられている。タッチパネル２７はパネル上に形成された透明な位置入力装置である。表示部２１上に表示されたキーに対応する位置のタッチパネルをタッチ操作することで、当該キーの信号が入力される。なお、以降、「表示部２１に表示されたキーを操作する」の主旨で簡略化して説明する。
【００１０】
表示部２１は、帳票の入力フォーマットの画面を表示する。表示部２１は、表示部２１に帳票全体を表示する帳票画面と、帳票の一部を拡大した拡大帳票画面を表示する。通常、表示部２１は、帳票全体を示す帳票画面を表示する。また、表示部２１には、画面拡大キー２７１（図２を参照）と入力拡大キー２７２（図２を参照）が表示される。画面拡大キー２７１を操作すると、表示部２１は、拡大帳票画面を表示する。入力拡大キー２７２を操作すると、表示部２１は拡大帳票画面を表示する。拡大帳票画面について後で説明する。
【００１１】
表示部２１と操作部２２の間には、用紙の一例である単票用紙を挿入するための用紙挿入口７が設けられている。単票用紙は、例えばカーボン用紙が複数層に積層された伝票用紙等である。また、事務コンピュータ１は、その後部に、排紙トレイ８を有している。また、事務コンピュータ１は、マウス２５を有している。なお、挿入する用紙は、単票用紙以外に、ファンフォールド紙やロール状の連続用紙等であってもよい。
【００１２】
また、事務コンピュータ１は、プリンタ２３（図２参照）を備えている。プリンタ２３は、用紙挿入口７に挿入された単票用紙を、ハウジング２の内部に引き込んで印刷を行なう。印刷とは、単票用紙に、帳票フォーマットを印刷し帳票情報を印字することをいう。なお、印刷を、予め帳票フォーマットが印刷された単票用紙に帳票情報を印字することとしてもよい。印刷された単票用紙は、ハウジング２の上部に構成された排紙トレイ８に排出される。すなわち、事務コンピュータ１は、前方から単票用紙を引き込み、印刷した単票用紙を、後方の排紙トレイ８に排出する。
【００１３】
プリンタ２３は、単票用紙に印刷を行うヘッド（図示せず）を有している。ヘッドとしては、例えば、シリアル型のインパクトドットプリンタヘッドが用いられている。また、プリンタ２３は、シリアル型のワイヤドットマトリクス方式での印字を実現するために、プラテンとインクリボン機構とを備えている（いずれも図示せず）。プラテンは、プリントヘッドの先端面と対向配置されている。インクリボン機構は、プリントヘッドの先端面と案内経路との間に図示しないインクリボンを供給する。プリンタ２３が単票用紙の最上位に積層された用紙に帳票情報の印刷を行うと、同一の帳票情報が下位層の用紙にカーボンコピーされる。
【００１４】
次に、事務コンピュータ１のハードウェア構成について説明する。図２は、事務コンピュータ１のハードウェア構成を示すブロック図である。図２に示すように、事務コンピュータ１は、ＣＰＵ（Central  Processing  Unit）１１、ＲＯＭ（Read  Only  Memory）１２、ＲＡＭ（Random  Access  Memory）１３、メモリ部１４等を備えている。ＣＰＵ１１は、制御主体となる。ＲＯＭ１２は、各種プログラムを記憶する。ＲＡＭ１３は、各種データを展開する。メモリ部１４は、各種プログラムを記憶する。ＣＰＵ１１、ＲＯＭ１２、ＲＡＭ１３、メモリ部１４は、互いにデータバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラムに従って動作することによって後述する制御処理を実行する。
【００１５】
メモリ部１４は、電源を切っても記憶情報が保持されるＨＤＤ（Hard  Disc  Drive）やフラッシュメモリ等の不揮発性メモリで構成される。メモリ部１４は、制御プログラム部１４１、フォーマット記憶部１４２、帳票情報記憶部１４３、入力順記憶部１４４を備える。制御プログラム部１４１は、制御プログラムを記憶する。フォーマット記憶部１４２は、伝票や請求書等の帳票のフォーマットを記憶する。帳票情報記憶部１４３は、操作部２２やタッチパネル２７から入力された帳票情報を記憶する。帳票情報とは、画面に表示された帳票への入力情報であり、プリンタ２３が帳票に印刷する情報である。入力順記憶部１４４は、帳票に帳票情報を入力する項目の順番（入力順）を帳票別に記憶する。入力順記憶部１４４については、後述する。
【００１６】
また、制御部１００は、データバス１５およびコントローラ１６を介して、表示部２１、操作部２２、プリンタ２３、ディスクドライブ２４、マウス２５、タッチパネル２７と接続している。タッチパネル２７は、画面拡大キー２７１、入力拡大キー２７２、締めキー２７３、終キー２７４、印刷キー２７５の機能を備える。締めキー２７３は、当該項目の入力を終了し、カーソルＣ（図７を参照）を次の項目の入力位置に移動させて表示させるときに操作するキーである。終キー２７４は、帳票の一部を拡大表示した拡大帳票画面を、帳票全体を表示した帳票画面に戻すときに操作するキーである。印刷キー２７５は、帳票情報を印刷するときに操作するキーである。ディスクドライブ２４は、補助記憶装置の一種であり、本体３の内部に挿入された円盤状のメディア（ＣＤ（Compact  Disc）、ＤＶＤ（Digital  Video  Disc）、ＢＤ（Blue-ray  Disc）等）を回転させて光学的に情報を読取る。ディスクドライブ２４は、メディアに対し光学的に情報を書き込む機能を有していてもよい。マウス２５はポインティングデバイスの一種であり、２次元方向の移動を事務コンピュータ１に伝える。
【００１７】
また、制御部１００は、データバス１５を介して通信部２６と接続する。通信部２６は、通信回線ＮＴを介して他の事務コンピュータ１や上位装置（図示せず）と接続する。
【００１８】
次に、入力順記憶部１４４の構成について説明する。図３は、ある帳票の入力順記憶部１４４の構成を示すメモリマップである。図３に示すように、入力順記憶部１４４は、項目部１４４１、入力順部１４４２、カーソル位置部１４４３、拡大倍率部１４４４を備える。
【００１９】
項目部１４４１は、入力する項目を記憶する。入力順部１４４２は、項目の入力順を記憶する。カーソル位置部１４４３は、各項目において最初にカーソルを点滅（表示）させる位置の座標（入力位置）を記憶する。カーソルが点滅している位置から帳票情報が入力される。拡大倍率部１４４４は、各項目において、表示部２１に表示される帳票画面におけるエリアと比較した拡大帳票画面における当該エリアの拡大倍率を記憶する。この倍率は、各項目の全体を含むエリアが適切な大きさで表示部２１に表示されるように、各項目毎に予め記憶されている。項目毎に項目全体の大きさが異なるため、各項目の全体を含むエリアは、項目毎に異なる。そのため、各項目がそれぞれ適正な大きさに表示されるように、拡大倍率部１４４４には、項目毎に、標準の大きさである帳票画面のエリアに対する拡大帳票画面における当該エリアの適正な拡大倍率を設定する。
【００２０】
図３に示す帳票は、項目１〜項目４の４項目を記憶している。項目１の入力順は１番目であり、カーソルを点滅させる入力位置である座標位置はカーソル位置１であり、表示部２１に表示する拡大帳票画面の拡大率は帳票画面に対して３倍である。同様に、項目２の入力順は２番目であり、カーソルを点滅させる座標位置はカーソル位置２であり、表示部２１に表示する拡大帳票画面の拡大率は帳票画面に対して２倍である。同様に、項目３の入力順は３番目であり、カーソルを点滅させる座標位置はカーソル位置３であり、表示部２１に表示する拡大帳票画面の拡大率は帳票画面に対して４倍である。同様に、項目４の入力順は４番目であり、カーソルを点滅させる座標位置はカーソル位置４であり、表示部２１に表示する拡大帳票画面の拡大率は帳票画面に対して２倍である。
【００２１】
ここからは、事務コンピュータ１の制御について詳細に説明する。図４は、事務コンピュータ１の機能構成を示す機能ブロック図である。制御部１００は、ＲＯＭ１２やメモリ部１４の制御プログラム部１４１に記憶された制御プログラムに従うことで、帳票表示手段１０１、カーソル表示手段１０２、入力手段１０３、拡大表示手段１０４として機能する。
【００２２】
帳票表示手段１０１は、表示部２１に帳票全体を示す帳票画面Ｇ１を表示する機能を有する。すなわち、帳票表示手段１０１は、指定された帳票のフォーマットをフォーマット記憶部１４２から読み出して、帳票全体を示す帳票画面Ｇ１を表示部２１に表示する機能を有する。
【００２３】
入力位置指定手段１０２は、帳票表示手段１０１が表示した帳票画面Ｇ１上の帳票情報の入力位置にカーソルＣを指定して表示する機能を有する。すなわち、入力位置指定手段１０２は、カーソル位置部１４４３に記憶された、帳票画面Ｇ１上のカーソル位置にカーソルＣを表示する機能を有する。
【００２４】
拡大表示手段１０３は、入力位置指定手段１０２によって指定された入力位置を含む帳票画面Ｇ１内のエリアを拡大した拡大帳票画面Ｇ２（図８を参照）または拡大帳票画面Ｇ３１（図９または図１０を参照）を表示部２１に表示する機能を有する。すなわち、拡大表示手段１０４は、カーソルＣが点滅している入力位置を含む帳票画面Ｇ１内のエリアを拡大した拡大帳票画面Ｇ２（図８を参照）または拡大帳票画面Ｇ３１を表示部２１に表示する機能を有する。
【００２５】
入力手段１０４は、帳票画面Ｇ１または拡大帳票画面Ｇ２または拡大帳票画面Ｇ３１において、入力位置指定手段１０２がカーソルＣを指定した入力位置に帳票情報を入力する機能を有する。すなわち、入力手段１０４は、帳票画面Ｇ１または拡大帳票画面Ｇ２または拡大帳票画面Ｇ３１において、操作者が操作部２２から入力した帳票情報を入力する機能を有する。
【００２６】
スムージング手段１０５は、入力手段１０４によって入力された帳票情報を表す文字の輪郭をスムージング処理して表示する機能を有する。
【００２７】
図５は、事務コンピュータ１の制御処理の流れを示すフローチャートである。図５に示すように、制御部１００は、帳票作成の指示がされたか否かを判断する（Ｓ１１）。帳票を作成するアプリケーションを起動し、特定の帳票の作成指示がされた場合に、帳票作成の指示がされたと判断する。帳票作成の指示がされたと判断した場合には（Ｓ１１のＹｅｓ）、制御部１００（帳票表示手段１０１）は、フォーマット記憶部１４２に記憶された、特定の帳票のフォーマット情報を読み出して、当該帳票全体を表示した帳票画面を表示部２１に表示する（Ｓ１２）。
【００２８】
図７は、Ｓ１２で表示された帳票画面Ｇ１の一例を示す図である。図７に示すように、帳票画面Ｇ１は、４種類の入力項目（項目１Ｇ１１、項目２Ｇ１２、項目３Ｇ１３、項目４Ｇ１４）を有する。また、帳票画面Ｇ１は、画面右上部に、画面拡大キー２７１と入力拡大キー２７２を表示する。また、帳票画面Ｇ１は、画面右下部に、締めキー２７３、終キー２７４、印刷キー２７５を表示する。
【００２９】
図５の説明に戻る。次に制御部１００（入力位置指定手段１０２）は、入力順記憶部１４４を参照して、入力順が１番である項目１Ｇ１１に係るカーソル位置部１４４３に記憶されたカーソルの座標に基づいて、項目１Ｇ１１の最初の入力位置（伝票区分の位置）にカーソルＣを点滅させる（Ｓ１３）。事務コンピュータ１に帳票情報を入力する操作者は、画面上で点滅しているカーソルＣの位置に帳票情報を入力する。次に制御部１００（入力手段１０４）は、帳票情報が入力されたか否かを判断する（Ｓ２１）。入力されたと判断した場合には（Ｓ２１のＹｅｓ）、制御部１００は、入力された帳票情報を、帳票情報記憶部１４３に記憶する（Ｓ２２）。同時に制御部１００は、記憶した帳票情報を帳票画面Ｇ１に表示する（Ｓ２３）。
【００３０】
帳票情報を帳票画面Ｇ１に表示する際、制御部１００（スムージング手段１０５）は、表示された文字のスムージング処理を実行する。この文字のスムージング処理は、表示された文字の輪郭のギザギザを滑らかにする処理であり、ソフトウェアを用いて処理する公知の技術である。このスムージング処理を実行することで、特に、後述するＳ４２の処理やＳ５２の処理で拡大した拡大帳票画面に表示される文字がスムージング処理され、表示された帳票画面上の文字より見え易くなる。
【００３１】
そして制御部１００は、Ｓ２１に戻る。図７の例の場合、操作者は、項目１Ｇ１１へ入力する帳票情報として、「伝票区分」の情報と「伝票日付」の情報と「伝票Ｎｏ」の情報を入力する。
【００３２】
項目１Ｇ１１の入力が終了すると、操作者は締めキー２７３を操作する。締めキー２７３が操作された場合の制御処理は、図６を用いて後程説明する。制御部１００は、締めキー２７３が操作されたか否かを判断する（Ｓ３１）。操作されていないと判断した場合には（Ｓ３１のＮｏ）、次に制御部１００は、画面拡大キー２７１が操作されたか否かを判断する（Ｓ４１）。画面拡大キー２７１が操作されると、操作されたことを示すフラグ情報がメモリ部１４に記憶される。画面拡大キー２７１が再度操作されると、操作されていないことを示すフラグ情報がメモリ部１４に記憶される。
【００３３】
画面拡大キー２７１が操作されたと判断した場合には（Ｓ４１のＹｅｓ）、制御部１００（拡大表示手段１０３）は、帳票画面Ｇ１のうち、カーソルＣが点滅している入力位置にある項目を含む、所定のエリアを拡大した拡大帳票画面を、表示部２１全体に表示する（Ｓ４２）。そして制御部１００は、Ｓ２１に戻る。
【００３４】
図８は、制御部１００がＳ４２の処理で所定のエリアを拡大した拡大帳票画面Ｇ２を示す図である。図８に示す拡大帳票画面Ｇ２は、図７に示す帳票画面Ｇ１において、カーソルＣが点滅している項目１Ｇ１１を含む所定のエリアＡ１１を表示部２１全体に拡大したものである。所定のエリアの範囲は予め定められている。拡大帳票画面Ｇ２は、入力順記憶部１４４の項目１Ｇ１１に対応した拡大倍率部１４４４に記憶された倍率に基づいて、帳票画面を３倍に拡大した拡大帳票画面である。
【００３５】
図５の説明に戻る。画面拡大キー２７１は操作されていないと判断した場合には（Ｓ４１のＮｏ）、次に制御部１００は、入力拡大キー２７２が操作されたか否かを判断する（Ｓ５１）。入力拡大キー２７２が操作されると、操作されたことを示すフラグ情報がメモリ部１４に記憶される。入力拡大キー２７２が再度操作されると、操作されていないことを示すフラグ情報がメモリ部１４に記憶される。入力拡大キー２７２が操作されたと判断した場合には（Ｓ５１のＹｅｓ）、制御部１００（拡大表示手段１０３）は、カーソルＣが点滅している入力位置にある項目を含む、所定のエリアを拡大した拡大帳票画面を表示部２１の上側半分に表示する（Ｓ５２）。同時に制御部１００（拡大表示手段１０３）は、図７に示す帳票画面Ｇ１を表示部２１の下側半分に表示する（Ｓ５２）。そして制御部１００は、Ｓ２１に戻る。
【００３６】
図９は、制御部１００がＳ５２の処理で表示した拡大帳票画面Ｇ３１および帳票画面Ｇ３２を示す図である。図９に示す拡大画面Ｇ３は、図７に示す帳票画面Ｇ１において、カーソルＣが点滅している項目１Ｇ１１を含む所定のエリアＡ１２を、表示部２１の上側半分の位置Ａ３１に表示したものである。位置Ａ３１には、拡大帳票画面Ｇ３１が表示される。拡大帳票画面Ｇ３１は、入力順記憶部１４４の項目１Ｇ１１に対応した拡大倍率部１４４４に記憶された倍率に基づいて、帳票画面を３倍に拡大した拡大帳票画面Ｇ３１である。
【００３７】
また、表示部２１の下側半分の位置Ａ３２には、図７で表示された帳票画面と同じ帳票の帳票画面Ｇ３２が表示される。拡大帳票画面Ｇ３１と帳票画面Ｇ３２とは縦に並列して表示される。また、帳票画面Ｇ３２には、位置Ａ３１に表示した拡大帳票画面Ｇ３１の位置を示すエリアＡ１２が表示される。
【００３８】
図５の説明に戻る。入力拡大キー２７２は操作されていないと判断した場合には（Ｓ５１のＮｏ）、制御部１００は、終キー２７４が操作されたか否かを判断する（Ｓ６１）。操作者は、帳票への入力を終了する場合、帳票画面Ｇ１、拡大帳票画面Ｇ２、拡大帳票画面Ｇ３のいずれかが表示された状態で終キー２７４を操作する。終キー２７４が操作されたと判断した場合には（Ｓ６１のＹｅｓ）、制御部１００は、入力された帳票情報を含む帳票画面Ｇ１を表示する（Ｓ６２）。そして制御部１００は、Ｓ２１に戻る。また、終キー２７４は操作されていないと判断した場合には（Ｓ６１のＮｏ）、制御部１００は、印刷キー２７５が操作されたか否かを判断する（Ｓ７１）。操作者は、帳票情報を入力した帳票を印刷したい場合に、印刷キー２７５を操作する。印刷キー２７５が操作されたと判断した場合には（Ｓ７１のＹｅｓ）、制御部１００は、帳票情報記憶部１４３に記憶されている帳票情報をプリンタ２３を制御して印刷する（Ｓ７２）。そして制御部１００は処理を終了する。一方、印刷キー２７５は操作されていないと判断した場合には（Ｓ７１のＮｏ）、制御部１００は、Ｓ２１に戻る。
【００３９】
一方、Ｓ３１において、締めキー２７３が操作されたと判断した場合には（Ｓ３１のＹｅｓ）、図６に示すように、制御部１００は、メモリ部１４に記憶されたフラグの状態を見て、画面拡大キー２７１が操作されている状態であるか否かを判断する（Ｓ８１）。操作されていると判断した場合には（Ｓ８１のＹｅｓ）、制御部１００は、入力順記憶部１４４を参照して、表示部２１全体に、次の項目を含むエリアの拡大帳票画面Ｇ２を表示する（Ｓ８２）。すなわち制御部１００は、入力順記憶部１４４の入力順部１４４２に記憶された入力順に基づいて、項目２Ｇ１２を含むエリアの拡大帳票画面Ｇ２を表示部２１全体に表示する。その際、制御部１００は、拡大倍率部１４４４に記憶されている拡大倍率である２倍の倍率で項目２Ｇ１２の拡大帳票画面Ｇ２を表示する。次に制御部１００は、カーソル位置部１４４３に記憶されている座標位置であるカーソル位置２の位置にカーソルＣを移動して点滅させる（Ｓ８３）。そして制御部１００は、Ｓ２１に戻る。
【００４０】
また、画面拡大キー２７１が操作されている状態ではないと判断した場合には（Ｓ８１のＮｏ）、制御部１００は、メモリ部１４に記憶されたフラグの状態を見て、入力拡大キー２７２が操作されている状態であるか否かを判断する（Ｓ９１）。操作されていると判断した場合には（Ｓ９１のＹｅｓ）、制御部１００は、表示部２１の上側半分の位置Ａ３１に、次の項目（実施形態では項目２Ｇ１２）を含むエリアの拡大帳票画面Ｇ３１を表示する。また、制御部１００は、表示部２１の下側半分の位置Ａ３２に、帳票画面Ｇ３２を表示する（Ｓ９２）。その際、制御部１００は、拡大倍率部１４４４に記憶されている拡大倍率である２倍の倍率で項目２Ｇ１２の拡大帳票画面Ｇ３１を表示する。
【００４１】
次に制御部１００は、カーソル位置部１４４３に記憶されている座標位置であるカーソル位置２の位置にカーソルＣを移動して点滅させる（Ｓ９３）。次に制御部１００は、帳票画面Ｇ３２において、項目２Ｇ１２より前に帳票情報を入力した項目（実施形態では項目１Ｇ１１）を帳票情報が入力済みであること示す色に変更して表示する（Ｓ９４）。例えば、項目１Ｇ１１を赤色や黄色で表示する。一方、帳票情報が未入力な項目は白色で表示する。このよう制御部１００は、帳票情報が入力されている項目と帳票情報が未入力の項目とを区別して表示する。
【００４２】
図１０は、Ｓ９２で表示され、Ｓ９３でカーソルＣを表示し、Ｓ９４ですでに帳票情報を入力した項目を他の項目と区別した状態の、拡大画面Ｇ３を示す図である。図１０において、拡大画面Ｇ３の上側半分の位置Ａ３１に表示された拡大帳票画面Ｇ３１は、入力順記憶部１４４の項目１Ｇ１１に対応した拡大倍率部１４４４に記憶された倍率に基づいて、帳票画面を２倍に拡大した拡大帳票画面である。
【００４３】
また、表示部２１の下側半分の位置Ａ３２には、帳票画面Ｇ３２が表示される。拡大帳票画面Ｇ３１と帳票画面Ｇ３２とは縦に並列して表示される。また、帳票画面Ｇ３２には、位置Ａ３１に表示した拡大帳票画面Ｇ３１を示すエリアＡ１３が表示される。また、帳票画面Ｇ３２において、すでに帳票情報が入力されている項目１Ｇ１１は、例えば黄色で表示されている。
【００４４】
図６の説明に戻る。Ｓ９１において、入力拡大キー２７２が操作されている状態ではないと判断した場合には（Ｓ９１のＮｏ）、制御部１００は、図７の帳票画面において、カーソルＣを次の項目の位置に移動して点滅させる（Ｓ９５）。次に制御部１００は、帳票画面Ｇ３２において、項目２Ｇ１２以前に帳票情報を入力した項目を帳票情報が入力済みであることを示す色で表示する（Ｓ９６）。そして制御部１００は、Ｓ２１に戻る。
【００４５】
このような実施形態によれば、制御部１００は、カーソルが点滅している入力位置を含むエリアを拡大した拡大帳票画面を表示する。このような拡大帳票画面は、表示部２１に大きく表示されるため、操作者は、帳票画面上の文字が見え易い。
【００４６】
また、実施形態によれば、帳票情報の入力後に締めキー２７３を操作することで、制御部１００は、入力順に従った次の項目の入力位置にカーソルを点滅させる。そのため、操作者は、次に帳票情報を入力する項目および入力位置を容易に認識することができる。
【００４７】
また、実施形態によれば、拡大表示手段が拡大帳票画面の表示中に締めキーが操作されると、制御部１００は、入力順に従った次の項目の入力位置を含むエリアを拡大して表示する。そのため、操作者は、項目を入力する度に再度拡大帳票画面を表示させる必要がない。
【００４８】
また、実施形態によれば、制御部１００は、項目を含むエリアを、予め記憶した適正倍率で拡大した拡大帳票画面を表示する。そのため、表示部２１には、各項目が、項目毎に適正な倍率で表示される。
【００４９】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００５０】
例えば、実施形態では、項目毎に、項目全体が適切に表示される大きさにエリアを拡大するようにしたが、これに限らず、例えば、複数の項目を同時に表示できる大きさにエリアを拡大するようにしてもよい。
【００５１】
また、実施形態では、画面拡大キー２７１と入力拡大キー２７２とを備え、画面拡大キー２７１の操作に応じて拡大帳票画面Ｇ２を表示し、入力拡大キー２７２の操作に応じて拡大帳票画面Ｇ３１を表示するようにした。しかしながら、いずれか一方のキーを備え、当該キーの入力に応じて、いずれかの拡大表示画面のみを表示するようにしてもよい。
【００５２】
また、実施形態では、タッチパネル２７上に締めキー２７３を作成したが、これに限らず、締めキー２７３を操作部２２に設けてもよい。また、締めキー２７３は、他のキーと兼用のキーであってもよい。
【００５３】
また、実施形態では、Ｓ９４において、帳票情報が入力済みの項目を他の項目と色を変えて帳票情報の未入力の項目と区別可能とした。しかしながら、これに限らず、例えば、帳票情報が入力済みの項目を網掛けしたり帳票情報が入力済みの項目に印をつけることで、帳票情報が未入力の項目と区別するようにしてもよい。
【００５４】
また、実施形態では、Ｓ５２の処理において、拡大帳票画面Ｇ３１を上側に表示して、帳票画面Ｇ３２を下側に表示した。しかしながら、拡大帳票画面Ｇ３１を下側に表示して、帳票画面Ｇ３２を上側に表示してもよい。また、拡大帳票画面Ｇ３１と帳票画面Ｇ３２を左右に並べて表示してもよい。
【００５５】
また、実施形態では、入力位置指定手段の一例として、カーソルＣを点滅させて入力位置を指定したが、これに限らず、例えば、入力位置の色を他の色と区別するような色として、帳票情報の入力位置を指定もよい。また、入力位置に網掛け等を表示して、帳票情報の入力位置を指定もよい。
【００５６】
また、実施形態では、プリンタ２３や表示部２１等を一体化した専用の事務コンピュータ１を情報処理装置の一例として説明したが、これに限らず、汎用のパーソナルコンピュータ等に表示部を接続したものを情報処理装置としてもよい。
【００５７】
なお、実施形態の情報処理装置で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００５８】
また、実施形態の情報処理装置で実行されるプログラムを、インターネット等のネットワークに接続されたコンピュータ上に格納し、ネットワーク経由でダウンロードさせることにより提供するように構成しても良い。また、実施形態の情報処理装置で実行されるプログラムをインターネット等のネットワーク経由で提供または配布するように構成しても良い。
【００５９】
また、実施形態の情報処理装置で実行されるプログラムを、ＲＯＭ等に予め組み込んで提供するように構成してもよい。
【符号の説明】
【００６０】
１          事務コンピュータ
２１        表示部
２３        プリンタ
１００      制御部
１０１      帳票表示手段
１０２      入力位置指定手段
１０３      拡大表示手段
１０４      入力手段
１０５      スムージング手段
１４３      帳票情報記憶部
１４４      入力順記憶部
２７１      画面拡大キー
２７２      入力拡大キー
２７３      締めキー
１４４３    カーソル位置部
１４４４    拡大倍率部
Ｃ          カーソル
Ｇ１        帳票画面
Ｇ２        拡大帳票画面
Ｇ３１      拡大帳票画面
【先行技術文献】
【特許文献】
【００６１】
【特許文献１】特開２０１４−２２９０２７号公報
【図１】
2017191404.tif 000003
【図２】
2017191404.tif 000004
【図３】
2017191404.tif 000005
【図４】
2017191404.tif 000006
【図５】
2017191404.tif 000007
【図６】
2017191404.tif 000008
【図７】
2017191404.tif 000009
【図８】
2017191404.tif 000010
【図９】
2017191404.tif 000011
【図１０】
2017191404.tif 000012